(57)【要約】【課題】  多彩な照明態様が得られる照明装置を提供する。【解決手段】  複数のＬＥＤと、夫々が前記複数のＬＥＤの一つ以上に関連付けられた複数の人感センサと、前記複数の人感センサの検知信号を受けて前記複数のＬＥＤの点灯状態を制御する点灯制御部と、前記複数のＬＥＤの光放射側に設置される調光ガラスと、前記調光ガラスの透過態様を制御する調光制御部と、を備えた照明装置とする。【選択図】  図２
2005228566.tif 000002
【特許請求の範囲】
【請求項１】
複数のＬＥＤと、
夫々が前記複数のＬＥＤの一つ以上に関連付けられた複数の人感センサと、
前記複数の人感センサの検知信号を受けて前記複数のＬＥＤの点灯状態を制御する点灯制御部と、
前記複数のＬＥＤの光放射側に設置される調光ガラスと、
前記調光ガラスの透過状態を制御する調光制御部と、
を備える照明装置。
【請求項２】
有線又は無線手段によって前記点灯制御部に接続された第１操作部を更に備え、
前記点灯制御部は、前記複数の人感センサの検知信号を受けて照明領域を決定するとともに、前記第１操作部を介した使用者の指示に従って前記複数のＬＥＤの発光態様を決定する、請求項１に記載の照明装置。
【請求項３】
複数のＬＥＤと、
前記複数のＬＥＤの点灯状態を制御する点灯制御部と、
有線又は無線手段によって前記点灯制御部に接続された第１操作部と、
前記複数のＬＥＤの光放射側に設置される調光ガラスと、
前記調光ガラスの透過状態を制御する調光制御部と、を備え、
前記点灯制御部は前記第１操作部を介した使用者の指示に従って前記複数のＬＥＤの発光態様と照明領域とを決定する、照明装置。
【請求項４】
前記ＬＥＤが多色発光可能なＬＥＤである、請求項１〜３のいずれかに記載の照明装置。
【請求項５】
有線又は無線手段によって前記調光制御部に接続された第２操作部を更に備え、
前記調光制御部は、前記第２操作部を介した使用者の指示に従って前記調光ガラスの透過状態を決定する、請求項１〜４のいずれかに記載の照明装置。
【請求項６】
部屋の明るさを検知する明暗センサを更に備え、
前記点灯制御部は、前記明暗センサの検知信号を受けて前記複数のＬＥＤの点灯状態を決定する、請求項１〜５のいずれかに記載の照明装置。
【請求項７】
部屋の明るさを検知する明暗センサを更に備え、
前記調光制御部は、前記明暗センサの検知信号を受けて前記調光ガラスの透過状態を決定する、請求項１〜６のいずれかに記載の照明装置。
【請求項８】
前記複数のＬＥＤが、各ＬＥＤ間に所定の間隔を置いて、部屋の天井に設置される、請求項１〜７のいずれかに記載の照明装置。
【請求項９】
複数のＬＥＤと、
夫々が前記複数のＬＥＤの一つ以上に関連付けられた複数の人感センサと、
前記複数の人感センサの検知信号を受けて前記複数のＬＥＤの点灯状態を制御する点灯制御部と、
夫々が前記複数のＬＥＤの一つ以上の光放射側を被覆するように設置される複数の調光ガラスと、
前記複数の調光ガラスの透過状態を制御する調光制御部と、
を備える照明装置。
【請求項１０】
略平面状に配置される複数のＬＥＤユニットと、
夫々が前記ＬＥＤユニットの一つ以上に関連付けられた複数の人感センサと、
前記複数の人感センサの検知信号を受けて前記複数のＬＥＤユニットの点灯状態を制御する点灯制御部と、
前記複数のＬＥＤユニットの光放射側を被覆するように備えられる調光ガラスと、
前記調光ガラスの透過状態を制御する調光制御部と、
を備える照明装置。
【請求項１１】
前記点灯制御部は、人を感知した前記人感センサが関連付けられた前記ＬＥＤユニットを点灯させる、請求項１０に記載の照明装置。
【請求項１２】
前記複数のＬＥＤユニットがそれぞれ複数のＬＥＤを内蔵し、該複数のＬＥＤの少なくとも一つは他のＬＥＤとその照射方向が異なり、
前記点灯制御部は、前記人感センサの検知信号を受けて、前記複数のＬＥＤユニットに内蔵されるＬＥＤの中で、人が存在する方向に照射方向を有するＬＥＤを点灯させる、請求項１１に記載の照明装置。
【発明の詳細な説明】
【技術分野】
【０００１】
本発明は照明装置に関する。詳しくは、ＬＥＤを使用した照明装置に関する。
【背景技術】
【０００２】
快適性の向上や省電力化等を目的として様々な室内用照明装置（或いは室内照明システム）が考案されている。例えば、入室したことや人の動きを検知して照明のオンオフや照明対応の制御を行なう照明装置（特許文献１）や、発光色の異なる複数のＬＥＤの点灯状態を制御することによって被照射物の視認性向上や省電力化を図った照明装置（特許文献２）、液晶パネルを利用することによって光度、配光、色温度を変化させることが可能な照明装置（特許文献３）、或いは光センサと人感センサを用いて周囲の明暗度を考慮した局所照明を可能とする照明装置（特許文献４）等が提案されている。
【０００３】
【特許文献１】特開平８−２４９９２１号公報
【特許文献２】特開平１０−１４４１２６号公報
【特許文献３】特開平１１−１４４５１０号公報
【特許文献４】特開平９−１６１５１５号公報
【発明の開示】
【発明が解決しようとする課題】
【０００４】
上記のように様々な提案がなされているものの、昨今の生活様式の変化や居室の利用形態の多様化、更には消費者のデザイン意識の向上などを背景として、使用シーンに応じた適切な照明態様が得られるとともに一層高い演出効果も奏される照明装置の提供が望まれている。
【課題を解決するための手段】
【０００５】
本発明は以上の課題に鑑みてなされたものであって以下の構成を提供する。即ち、
複数のＬＥＤと、
夫々が前記複数のＬＥＤの一つ以上に関連付けられた複数の人感センサと、
前記複数の人感センサの検知信号を受けて前記複数のＬＥＤの点灯状態を制御する点灯制御部と、
前記複数のＬＥＤの光放射側に設置される調光ガラスと、
前記調光ガラスの透過状態を制御する調光制御部と、
を備える照明装置である。
【発明の効果】
【０００６】
本発明の構成によれば、複数の人感センサによって人の存在が検知され、続いて検知結果を受けて点灯制御部が各ＬＥＤの点灯状態を制御する。これによって人の位置に対応した固有の点灯態様が得られる。即ち、照明態様が人の位置を反映したものとなる。一方、ＬＥＤの光は調光ガラスを通って外部に照射することから、調光ガラスの透過状態の制御によって光の指向性や光量の制御を行うことが可能となる。これによって例えば使用シーン毎に固有の照明を行なうことなど、多彩な照明態様を作り出すことが可能となる。以上のように本発明の照明装置では人の位置及び使用シーンを反映した演出効果の高い照明を行うことができる。
【発明を実施するための最良の形態】
【０００７】
本発明は照明装置に関し、その一態様では、複数のＬＥＤと、夫々が前記複数のＬＥＤの一つ以上に関連付けられた複数の人感センサと、前記複数の人感センサの検知信号を受けて前記複数のＬＥＤの点灯状態を制御する点灯制御部と、前記複数のＬＥＤの光放射側に設置される調光ガラスと、前記調光ガラスの透過状態を制御する調光制御部とを備える。
使用するＬＥＤのタイプは特に限定されず、砲弾型（レンズ型）、チップ型等、種々のものを採用できる。ＬＥＤの発光色も特に限定されず、使用目的に応じて適当な発光色のＬＥＤが採用される。例えば、白色ＬＥＤ、黄色ＬＥＤ、赤色ＬＥＤ、緑色ＬＥＤ、青色ＬＥＤ、及びアンバー色ＬＥＤなどの中間色などを用いることができる。
より多彩な照明態様を作り出すことが可能となることから、多色発光可能なＬＥＤを用いることが好ましい。特に、例えばＲＧＢ各色のＬＥＤチップを内蔵したものなど、マルチカラー乃至フルカラー発光が可能なＬＥＤを採用することが好ましい。
タイプ及び／又は発光色の異なる二種類以上のＬＥＤを組み合わせて使用してもよい。勿論のこと、単色発光のＬＥＤと多色発光可能なＬＥＤとを組み合わせることもできる。
【０００８】
本発明の一態様では、ユニット化されたＬＥＤを使用する。各ＬＥＤユニットは一つ以上のＬＥＤを内蔵する。好ましくは、各ＬＥＤユニットは二つ以上、更に好ましくは三つ以上のＬＥＤを内蔵する。このようにＬＥＤをユニット化することによって、ＬＥＤの配設が容易になることは勿論のこと、ユニット毎の点灯制御を行うことができることから制御面でも有利となる。
【０００９】
ＬＥＤ（又はＬＥＤユニット）は、所望の照明領域を確保できるように配置される。例えば、室内を広く照明することを目的とする場合にはＬＥＤを天井の広い領域に点在するように配置することができる。一方、室内の一部のみを照明することを目的とする場合には例えば、当該一部に対応するように天井の一部の領域のみにＬＥＤを配置すればよい。また、室内の複数箇所をスポットライト的に照明することを目的とする場合には例えば、当該複数箇所に対応するように天井の複数領域にＬＥＤを配置すればよい。
尚、照度の均一化を図るためにＬＥＤを等間隔で配置することが好ましい。このような配置態様としては例えばドットマトリックス状を挙げることができる。
【００１０】
所望の照明態様が得られるように各ＬＥＤの照射方向が設定される。例えば天井に配設する場合においては、その光軸が床面に垂直とするように全てのＬＥＤを配設することができる。また、一部（又は全て）のＬＥＤの光軸が他のＬＥＤのそれと異なるような配設態様を採用してもよい。複数のＬＥＤを内蔵するＬＥＤユニットを採用する場合には、他のＬＥＤと照射方向の異なるＬＥＤを少なくとも一つ含むようにＬＥＤユニットを構成することができる。以上のように本発明の照明装置が光軸方向の異なるＬＥＤを含む場合には例えば、制御部が、人感センサの検知信号を受けて人が存在する方向（即ち、人の存在を検知した人感センサの検出範囲方向）に照射方向を有するＬＥＤを点灯するように構成する。このような構成によれば人の位置に向かって複数のＬＥＤユニットから光が照射することとなり効果的な照明が行われる。
【００１１】
本発明の照明装置をペンダント型（吊り下げ型）の照明器具に適用することもできる。この場合には例えば、平面状の発光面を形成するように、複数のＬＥＤを仮想平面上に配置する。また、凸曲面状の発光面を形成するように複数のＬＥＤを仮想曲面上に配置することもできる。ＬＥＤの配置態様は照明目的、意匠性などを考慮して自由に設計することができる。
【００１２】
本発明の照明装置では複数の人感センサが使用される。ここに人感センサとは、人の存在を感知できるセンサをいい、例えば赤外線を利用したセンサ、振動を利用したセンサ、音を利用したセンサ、その他の電波を利用したセンサ、或いは圧電素子などが知られている。本発明ではこれらの人感センサのいずれを使用してもよい。照明装置の照明範囲や、人感センサ及び／又はＬＥＤの配置間隔などに応じて適切な検知範囲の人感センサを採用することが好ましい。検出範囲が互いに異なる二種類以上の人感センサを併用してもよい。
各人感センサは、上記複数のＬＥＤ（又はＬＥＤユニット）の一つ以上に関連付けられている。ある人感センサが人の存在を感知したときには、その検知信号に基づいて当該人感センサが関連付けられたＬＥＤ（以下、「関連ＬＥＤ」ともいう）の点灯状態が他のＬＥＤ（以下、「非関連ＬＥＤ」ともいう）の点灯状態と異なるように、各ＬＥＤの点灯状態を点灯制御部が制御する。典型的には、人の存在を感知した人感センサが関連付けられたＬＥＤ（関連ＬＥＤ）のみを点灯するとともに他のＬＥＤ（非関連ＬＥＤ）を消灯状態とするか、或いは人の存在を感知した人感センサが関連付けられたＬＥＤ（関連ＬＥＤ）を高輝度で点灯するとともに他のＬＥＤ（非関連ＬＥＤ）を低輝度で点灯する。前者の場合には一部のＬＥＤのみが点灯し、これによって照明領域が決定される。他方、後者の場合には高輝度の光によって照明される領域、即ち主たる照明領域が決定されることとなる。
多色発光可能なＬＥＤを採用した場合にあっては、点灯制御部が、各ＬＥＤのオンオフ（及び輝度）に加えて各ＬＥＤの発光色を制御するように構成することができる。例えば関連ＬＥＤが特定の色で点灯し、一方で非関連ＬＥＤが当該色とは異なる色で点灯するように制御される（同時に関連ＬＥＤと非関連ＬＥＤとの輝度に差を設けてもよい）。
点灯制御部による制御態様は上記のものに限られるものではなく例えば、人感センサが感知信号を発している間、継続して上記のような点灯制御を行うといった制御態様や、人感センサからの感知信号を受けた後の一定時間、上記のような点灯制御を行った後に定常状態（例えば全てのＬＥＤが消灯状態）に戻るという制御態様等、様々な制御態様を採用することができる。また、以上のような点灯制御に加えてフェードインやフェードアウト或いは点滅、色変わり等の演出効果を加えてもよい。
【００１３】
本発明の一態様では、有線又は無線手段によって点灯制御部に接続された第１操作部が備えられる。第１操作部は、点灯制御部を介してＬＥＤの発光態様を操作することに使用される。例えば、第１操作部を介して使用者がＬＥＤの輝度や色（多色発光可能なＬＥＤを採用した場合）を選択或いは調整できるように構成することができる。より具体的には例えば、第１操作部にモード切替スイッチを備えることとし、当該スイッチの操作によって、予め定められたいくつかの照明モードから使用シーンに応じた照明モードを選択できるようにする。
この態様では、典型的には、点灯制御部は人感センサの検知信号を受けて照明領域を決定するとともに第１操作部を介した使用者の指示に従って当該照明領域における照明モード（輝度や照明色（多色発光可能なＬＥＤを採用した場合）等）を決定することとなる。尚、照明領域についても第１操作部を介して決定又は変更できるように構成してもよい。
【００１４】
本発明では上記ＬＥＤの光放射側に調光ガラスが設置され、ＬＥＤの光は調光ガラスを通って外部に放射する。したがって、調光ガラスの透過状態を制御することによって外部照射光、即ち照明光の態様を変化させることができる。その結果、多彩な照明態様を実現できる。
【００１５】
使用する調光ガラスの種類は特に限定されない。例えば液晶方式、フォトクロミック方式、エレクトロクロミック方式及び熱作用方式の調光ガラスを利用できるが、中でも応答性などの面から液晶方式のものを採用することが好ましい。
【００１６】
調光ガラスの透過状態の制御は調光制御部を介して行われる。例えば、人感センサの検知信号が調光制御部にも入力されることとし、いずれの人感センサも人を感知していない状態（即ち部屋に人がいない状態）では調光ガラスの透過率が低レベル（例えば透過率約１％〜約２０％）となり、いずれかの人感センサが人を感知した状態（即ち部屋に人がいる状態）では調光ガラスの透過率が高レベル（例えば透過率約６０％〜約７０％）となるような制御態様とすることができる。
調光ガラスを複数設け、調光ガラス毎に透過率の制御を行ってもよい。例えば、人を感知した人感センサが関連付けられたＬＥＤが照射する調光ガラスの透過率を高レベルの第１状態（例えば透過率約６０％〜約７０％）とし、その他の調光ガラスの透過率を低レベルの第２状態（例えば透過率約１％〜約２０％）とするような制御を行なうことができる。
【００１７】
有線又は無線手段によって調光制御部に接続された第２操作部を備えることとし、当該第２操作部を介した使用者の指示に従って、調光制御部が調光ガラスの透過率を変化させるように構成してもよい。或いは、調光制御部に接続された明暗センサを備えることとし、当該明暗センサの検知信号を受けて調光制御部が調光ガラスの透過率を変化させるように構成してもよい。勿論、上記第２操作部及び明暗センサの両者を併用してもよい（例えば、第２操作部を介した使用者の指示がない場合には明暗センサの検知信号に基づいて調光ガラスの透過率が決定され、一方で使用者の指示がある場合には当該指示が優先させてこれに基づいて調光ガラスの透過率が決定されるようにする）。
【００１８】
後述の実施例のように、ＬＥＤの点灯状態を制御する点灯制御部と、調光ガラスの透過状態を制御する調光制御部とを一つの制御部として備えることにしてもよい。
以下、実施例を用いて本発明をより詳細に説明する。以下の説明において同一の符号は同一又は相同な部材（要素）を表す。
【実施例１】
【００１９】
図１に本発明の実施例の照明装置１を模式的に示す。照明装置１は照明部１０、制御部２０及びリモコン３０から構成される。図２は照明図１０の部分拡大斜視図である。また図３(a)及び(b)はそれぞれ図２におけるＡ−Ａ線断面図及びＢ−Ｂ線断面図である。以下、各図を参照しながら照明装置１の構成を説明する。
照明部１０は全体として平板状であって複数のＬＥＤユニット１１を備える。本実施例では１６個のＬＥＤユニット１１が使用される。各ＬＥＤユニット１１はその長手軸が照明部１０の長手軸と平行となるように設置される。一方、照明部１０の短手軸と平行な４列を形成するように４個のＬＥＤユニット１１が一組となって整列している。
各ＬＥＤユニット１１にはＲＧＢタイプ（３in１タイプ）のＬＥＤ１２が１０個内蔵されている。ＬＥＤ１２の光放射側にはレンズ１３が設置されており、ＬＥＤ１２から放出された光は当該レンズ１３によってその指向性を制御された後に外部放射する。一方ＬＥＤ１２のマウント基板１４には、くし状の放熱板（例えば銅板）１５が接続されており、これによって放熱性の向上が図られている。
【００２０】
照明部１０の外枠１７においてＬＥＤユニット１１の列のほぼ中心を通る直線上の位置には、左右に一つずつ人感センサ（赤外線センサ）２１が備えられている。各人感センサ２１は、それが対応するＬＥＤユニット列に含まれる４個のＬＥＤユニット１１の中で近くに位置する２個のＬＥＤユニット１１に関連付けられている。各人感センサ２１は、これら２個のＬＥＤユニット１１内のＬＥＤ（関連ＬＥＤ）１２の点灯制御に関与する。
【００２１】
各ＬＥＤユニット１１の光照射側を覆うようにして、照明部１０の外枠１７に調光ガラス２２が嵌め込まれている。調光ガラス２２は、液晶シートを電極膜及びガラスによって挟んだ構成からなり、電圧の印加によって不透明（乃至半透明）な状態から透明な状態へと変化する。例えば、不透明（乃至半透明）時の平行光線透過率が約１〜約１５％の範囲にあり、透明時の平行光線透過率が約６０〜約８０％の範囲にある調光ガラスを好適に使用することができる。
【００２２】
照明部１０の外枠１７の両端部にはそれぞれ吊り金具１８が備え付けられている。照明部１０は、当該吊り金具１８を利用して所望の高さになるように天井より吊り下げられる。本実施例では、照明装置１はダイニングテーブル１９の中央部の上方に位置するように吊り下げられる（図５を参照）。
【００２３】
照明部１０には制御部２０が接続されている。図６に示すように制御部２０には各ＬＥＤユニット１１、各人感センサ２１、調光ガラス２２、受信部２３及び電源回路２４が接続されている。このような回路構成によって制御部２０は、各人感センサ２１の検知信号及びリモコン３０からの信号を受信し、各ＬＥＤユニット１１の点灯状態及び調光ガラス２２の透過率を制御する。尚、リモコン３０からの信号は受信部２３を介して受信される。制御部２０による具体的な制御態様及びそれに伴う照明態様を以下に例示する。まず、定常状態（室内に人が存在しないとき）ではいずれの人感センサ２１からも制御部２０に感知信号が入力されず、制御部２０は全てのＬＥＤユニット１１を消灯状態に維持する。同時に調光ガラス２２への電圧の印加も行なわず、その結果調光ガラス２２は半透明な状態（例えば透過率約１０％）となる。次に、人が入室してダイニングテーブル１９に近づくと、人の前方に位置する人感センサ２１（この例では図５において手前側の左から二番目の人感センサ２１）が人を感知し、その検知信号を制御部２０に送る。これを受けて制御部２０は、当該人感センサ２１が関連付けられた二つのＬＥＤユニット（即ち、図５において当該人感センサ２１の後方に位置する二つのＬＥＤユニット）１１内のＬＥＤ１２（以下、「関連ＬＥＤ」ともいう）と、その他のＬＥＤユニット１１内のＬＥＤ１２（以下、「非関連ＬＥＤ」ともいう）をそれぞれ所定の発光態様とする。このときの各ＬＥＤ１２の輝度及び発光色は予め定められた照明モードに従う。各照明モードには調光ガラス２２の透過状態も設定されており、制御部２０は予め定められた設定に従って調光ガラス２２への電圧の印加状態も制御する。
照明モードはリモコン３０によって使用者が設定ないし切換えすることができるようになっており、本実施例では昼間モード、夜間モード、リラックスモード及びイルミネーションモードの４モードが設けられている。各モードにおけるＬＥＤ１２の発光態様及び調光ガラス２２の状態は次の通りである。尚、以下の照明モードは例示であって、使用目的等に応じて自由に照明モードを設定できる。
（昼間モード）  関連ＬＥＤ＝白色、低輝度発光、連続点灯：非関連ＬＥＤ＝消灯：調光ガラス＝透明（透過率約８０％）
（夜間モード）  関連ＬＥＤ＝白色、高輝度発光、連続点灯：非関連ＬＥＤ＝白色、低輝度発光、連続点灯：調光ガラス＝透明（透過率約８０％）
（リラックスモード）  関連ＬＥＤ＝電球色、中輝度発光、連続点灯：非関連ＬＥＤ＝アンバー色、低輝度発光、連続点灯：調光ガラス＝半透明（透過率約１０％）
（イルミネーションモード）  関連ＬＥＤ＝発光色が変化（赤色〜紫色〜青色〜緑色〜黄緑色〜黄色〜橙色〜赤色、以下繰り返し）、高輝度発光、連続（又は点滅点灯）：非関連ＬＥＤ＝関連ＬＥＤと同一：調光ガラス＝透明（透過率約８０％）
【００２４】
以上のように、昼間モードでは、周囲の明るさを考慮して必要な領域のみに照度の比較的低い白色光による連続照明が行われる。夜間モードでは、周囲が暗いことを想定して照度の高い白色光による連続照明が人の前方領域に行われるとともに、その周囲では同色で照度を落とした照明が行われる。一方、リラックスモードが選択された状態では、リラックスムードを作り出すように適度な照度の電球色の光が人の前方領域に注がれ、同時にその周囲では同色の光による照度を落とした照明が行われる。尚、リラックスモードの時には調光ガラスが半透明の状態に制御されることから、やわらかな照明光が得られる。これによってリラックスムードが盛り上げられる。イルミネーションモードでは時間の経過とともに照明色が変化し、演出効果の高い照明となる。以上の各照明モードの際、演出効果を高める目的で各ＬＥＤの点灯の際にフェードインさせたり、或いは各ＬＥＤの消灯の際にフェードアウトさせたりしてもよい。
尚、人感センサ２１の検出範囲外へと人が移動した場合には、この検知結果を受けて制御部は全てのＬＥＤユニット１１を定常状態へと戻す。
【００２５】
以上の照明モードは、図４に示すリモコン３０に備えられたモード切替スイッチ３１によって選択される。リモコン３０には明るさ調節つまみ３２も備えられており、使用者の好みに応じて照度を調節することが可能となっている。
【００２６】
複数個の人感センサ２１が人を感知した場合には、当該人感センサ２１に関連付けられたＬＥＤユニット１１がそれぞれ上記のルールに従った点灯制御を受ける。したがって例えば夜間モードにおいて２個の人感センサ２１が人を感知した場合（例えば二人が入室した場合）には、二箇所において高輝度の照明が行なわれる。一方、例えば３個以上の人感センサ２１が人を感知した場合に全てのＬＥＤユニット１１内のＬＥＤ１２が関連ＬＥＤとして点灯制御を受けるように構成することもできる。かかる構成では例えば夜間モードにおいて３個の人感センサ２１が人を感知した場合（例えば３人が入室した場合）、全てのＬＥＤ１２が白色で高輝度に点灯し、ダイニングテーブル１９全体が高輝度の光で照明されることとなる。
【００２７】
以上のように照明装置１では必要な領域に適切な照度の照明を行えるとともに、多様な照明モードを実現できる。したがって、省電力化の要請に応えるとともに、快適性及び演出性に優れた照明環境が提供されることとなる。
【００２８】
照明装置１では人感センサ２１を照明部１０に設けたが、これをダイニングテーブル等、照明部以外の場所に設置してもよい。図７(b)に示す例ではダイニングテーブル１９の天板の背面に人感センサ２１が設置される。この場合には人感センサ２１が人の着席を感知し、必要な照明が行われる。
【実施例２】
【００２９】
次に本発明の他の実施例である室内照明システムについて説明する。図８は、この室内照明システムを適用した居室の天井を正面からみた平面図である。図８に示されるように無数のＬＥＤ４０がドットマトリックス状に天井４５に設置される。各ＬＥＤ４０はＲＧＢタイプ、レンズ型のＬＥＤである。
一方、ＬＥＤ４０に囲まれる位置に一定の間隔を置いて人感センサ（赤外線センサ）４１が配置されている。各人感センサ４１は、それを中心とする正方形で規定される一区画内に含まれる１６個のＬＥＤに関連付けられている。
各ＬＥＤ４０光照射側には天井４５の全面を覆うように調光ガラス４６が設置されている。
【００３０】
各ＬＥＤ４０の点灯状態、及び調光ガラス４６の透過状態は、天井４５の背後に設置される制御部（図示せず）によって制御される。本実施例の室内照明システムの回路構成を図９に示す。制御部４３には各ＬＥＤ４０、各人感センサ４１、調光ガラス４６、受信部４７及び電源回路４８が接続されている。このような回路構成によって制御部４３は、各人感センサ４１の検知信号及びリモコン４９からの信号を受信し、各ＬＥＤ４０の点灯状態及び調光ガラス４６の透過率を制御する。尚、リモコン４９からの信号は受信部４７を介して受信される。制御部４３による具体的な制御態様及びそれに伴う照明態様を以下に例示する。まず、定常状態（室内に人が存在しないとき）ではいずれの人感センサ４１からも制御部４３に感知信号が入力されず、制御部４３は全てのＬＥＤ４０を消灯状態に維持する。同時に調光ガラス４６への電圧の印加も行なわず、その結果、調光ガラス４６は半透明な状態（例えば透過率約１０％）となる。次に、人が入室すると、人がいる場所の上方に位置する人感センサ４１が人を感知し、その検知信号を制御部４３に送る。これを受けて制御部４３は、当該人感センサ４１が関連付けられたＬＥＤ（例えばＧＰ１−１に属する１６個のＬＥＤ４０）と、その他のＬＥＤ４０をそれぞれ所定の発光態様とする。このときの各ＬＥＤ４０の発光態様は予め定められた以下の照明モード（通常モード）に従う。尚、制御部４３は予め定められた設定に従って調光ガラス４６への電圧の印加状態も制御する。
（通常モード）  関連ＬＥＤ＝白色、低輝度発光、連続点灯：非関連ＬＥＤ＝白色、低輝度発光、連続点灯：調光ガラス＝透明（透過率約８０％）
通常モードでは人がいる場所において高照度の白色光による照明が行われ、その他の領域では照度を落とした照明が行われる。そして、人の動きに追従するように高照度の光による照明領域が移動する。このように通常モードでは人が存在する領域においてスポットライト的な照明がリアルタイムに行われる。
【００３１】
以上の照明モードに加えて様々な照明モードを設定することができる。照明モードの例を以下に示す。尚、以下の照明モードの二つ以上を使用者が選択可能なように構成することもでき、この場合には例えばリモコン４９に照明モードを選択するためのモード切換えスイッチが設けられる（図示せず）。尚、以下の各照明モードでは人感センサ４１の検知結果に基づいてＬＥＤ４０の点灯制御は行われず、各ＬＥＤ４０はそれぞれの照明モードで設定されたルールに従って点灯する。
（家事モード、図１０（ａ）：照明システムをキッチンルームに適用した例）  キッチン上方のＬＥＤ＝白色、高輝度発光、連続点灯：その他のＬＥＤ＝白色、低輝度発光、連続点灯：調光ガラス＝透明（透過率約８０％）
（夕食モード、図１０（ｂ）：照明システムをダイニングルームに適用した例）  ダイニングテーブル上方のＬＥＤ＝電球色、高輝度発光、連続点灯：その他のＬＥＤ＝電球色、低輝度発光、連続点灯：調光ガラス＝透明（透過率約８０％）
（パーティーモード、図１０（ｃ）：照明システムをリビングルームに適用した例）  全てのＬＥＤ＝発光色が変化（赤色〜紫色〜青色〜緑色〜黄緑色〜黄色〜橙色〜赤色、以下繰り返し）、高輝度発光、連続（又は点滅点灯）：調光ガラス＝透明（透過率約８０％）
（くつろぎモード、図１０（ｄ）：照明システムをリビングルームに適用した例）  ソファ上方及びローテーブル上方のＬＥＤ＝電球色、高輝度発光、連続点灯：その他のＬＥＤ＝電球色、中輝度発光、連続点灯：調光ガラス＝半透明（透過率約１０％）
（リラックスモード、図１０（ｅ）：照明システムをリビングルームに適用した例）  全てのＬＥＤ＝アンバー色、中輝度発光、連続点灯：調光ガラス＝半透明（透過率約１０％）
（就寝モード、図１０（ｆ）：照明システムを寝室に適用した例）  入り口付近の二箇所のＬＥＤ（例えば２個ずつ）＝アンバー色、低輝度発光、連続点灯：その他のＬＥＤ＝消灯：調光ガラス＝半透明（透過率約１０％）
以上のように、各照明モードによって使用シーンを反映した適切な照明が行われる。尚、フェードイン効果やフェードアウト効果などの演出が行われるようにしてもよい。
【００３２】
以上の照明システムでは、照明モードにあわせて必要なＬＥＤを所定の態様で点灯することによって、一つのシステム（器具）によって様々な照明態様が得られる。即ち、簡素な構成で多彩な照明態様を作り出すことが可能となる。
【００３３】
図１１に示す回路構成のように明暗センサ５０を別途設け、当該明暗センサ５０の検知結果をＬＥＤ４０の点灯制御及び／又は調光ガラス４６の透過率の制御に利用してもよい。例えば、通常モードの時に明暗センサ５０の検出値が所定値以上であれば、各ＬＥＤ４０の輝度を低下させたり、或いは調光ガラス４６を不透明な状態にしたりするような制御を行なうことができる。このように、明暗センサを利用した、調光ガラスの透過率の調節によって照度の調節ひいては照明態様の調節を行うこともできる。
【００３４】
以上の実施例では天井の全面にＬＥＤを配置することとしたが、一部の領域のみにＬＥＤを配置してもよい。例えば、入口付近及び照明対象（例えばテーブル、ソファなど）に対応する領域のみにＬＥＤを配置することができる。
【００３５】
以上の実施例では一枚の調光ガラスを使用しているが、図１２に示すように、ＬＥＤ４０のグループ毎に調光ガラス４６を用意することもできる。この場合には、調光ガラス毎にその透過率が制御される（勿論、複数の調光ガラス４６をグループ化し、それらの状態を同期させてもよい）。このような構成を採用した場合には例えば、通常モードにおいてある感知センサ４１が人を感知した場合に全てのＬＥＤ４０を高輝度で点灯させるとともに当該感知センサ４１が関連付けられたＬＥＤ（関連ＬＥＤ）４０の光放射側を被覆する調光ガラス４６のみを透明な状態とすれば（他の調光ガラスを不透明な状態）、関連ＬＥＤの光に起因する高照度の光によって人が存在する領域が照明され、その他の領域については照度の低い光によって照明されることとなる。このように、調光ガラスの透過性を個別に制御することによってバリエーション豊かな照明態様を実現することができる。
【００３６】
次に、複数のＬＥＤをユニット化した光源を利用した照明システムの例を説明する。図１３の例では５個のＬＥＤを内蔵するＬＥＤユニット６０が使用される。ＬＥＤユニット６０では、それらを結ぶ直線が仮想正方形を形成するように４個のＬＥＤ４０ａ〜ｄが備えられるとともに中央に更に一つのＬＥＤ４０ｅが備えられている。この中央のＬＥＤ４０ｅはその光照射方向が、ＬＥＤユニット６０が天井に設置されたときに真下（つまり光軸が床面に垂直）となるように備えられ、他方周囲の４個のＬＥＤ４０ａ〜ｄはそれぞれ光照射方向が若干外側を向くように備えられている。このようなＬＥＤユニット６０を使用した照明システムでは例えば以下のような照明が行われる。この例では各人感センサ４１に対してその周囲の４個のＬＥＤユニット６０が関連付けられている。そして、ある人感センサ４１が人を感知した場合には、当該人感センサ４１に関連付けられた各ＬＥＤユニット６０の中央のＬＥＤ４０ｅが所定の輝度で点灯する。また、各ＬＥＤユニット６０の中で当該人感センサ４１方向に光軸を有するＬＥＤ（人感センサ４１の左上に位置するＬＥＤ４０ｃ、右上に位置するＬＥＤ４０ｄ、右下に位置するＬＥＤ４０ａ、左下に位置するＬＥＤ４０ｂ）も所定の輝度で点灯する。その結果、真上からの光（ＬＥＤ４０ｅに起因する）と、斜め下に放出された４方向の光（ＬＥＤ４０ａ〜ｄに起因する）によって人の存在する領域が照明される。したがって、高照度の光による照明が行えるとともに、その照明光は多方向の光が組み合わさったものとなり影の発生を低減することができる。
【００３７】
以上の例では４個のＬＥＤを組み合わせて一つの光源ユニットを構成したが、例えば図１４に示すように２個或いは３個のＬＥＤなどを組み合わせて光源ユニットを構成してもよい。尚、図１４(a)は２個のＬＥＤを互いの光軸方向が異なるように内蔵した光源ユニットの例であって、同様に図１４(b)は３個のＬＥＤをそれぞれの光軸方向が他のそれと異なるように内蔵した光源ユニットの例である。
以上のような各種のＬＥＤユニットはそれぞれ照明部の光源として利用できるが、同種のＬＥＤユニットのみを複数使用して照明部を構成しても（図１３の例が該当する）、或いは異なる種類のＬＥＤユニットを適宜組み合わせて照明部を構成してもよい。内蔵されるＬＥＤの数、種類、或いは光軸方向などが異なる様々な光源ユニットを用意し、それらを組み合わせて使用することにより一層多彩な照明態様を作り出すことが可能となる。
【００３８】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【産業上の利用可能性】
【００３９】
本発明の照明装置は、屋内用の照明装置として広範な分野で利用可能である。好適には、居室や寝室などの室内用照明装置としてその利用が図られる。また、廊下や通路などの照明装置として利用することも可能である。本発明の照明装置による光は例えば、使用者の活動に必要な光として又は室内のムード作りのための光として、更には防犯目的の光として利用される。
【図面の簡単な説明】
【００４０】
【図１】図１は、本発明の実施例の照明装置１を模式的に示す斜視図である。
【図２】図２は、照明装置１の照明部の部分拡大斜視図である。
【図３】図３は、図２におけるＡ−Ａ線断面図（ａ）及びＢ−Ｂ線断面図（ｂ）である。
【図４】図４は、照明装置１に使用されるリモコン３０を示す平面図である。
【図５】図５は、照明装置１による照明態様の例を示す斜視図である。
【図６】図６は、照明装置１の回路構成を示す図である。
【図７】図７は、照明装置１による感知方法を説明する図である。
【図８】図８は、本発明の他の実施例である照明システムを示す平面図である。
【図９】図９は、実施例の照明システムの回路構成を示す図である。
【図１０】図１０は、実施例の照明システムによる各種照明モードを示す図である。
【図１１】図１１は、明暗センサを備えた照明システムの回路構成を示す図である。
【図１２】図１２は、複数の調光ガラスを使用した照明システムを示す平面図である。
【図１３】図１３は、５個のＬＥＤを内蔵したＬＥＤユニットを使用した照明システムを示す平面図である。
【図１４】図１４は、実施例の照明システムに使用可能な、２個のＬＥＤを内蔵したＬＥＤユニット（ａ）及び３個のＬＥＤを内蔵したＬＥＤユニット（ｂ）を示す図である。
【符号の説明】
【００４１】
１  照明装置
１０  光源部
１１  ＬＥＤユニット
１２  ４０  ４０ａ〜４０ｅ  ＬＥＤ
１３  レンズ
１４  基板
１５  放熱板
２０  ４３  制御部
２１  ４１  人感センサ
２２  ４６  調光ガラス
２３  ４７  受信部
２４  ４８  電源回路
３０  ４９  リモコン
５０  明暗センサ
６０  ＬＥＤユニット
【図１】
2005228566.tif 000003
【図２】
2005228566.tif 000004
【図３】
2005228566.tif 000005
【図４】
2005228566.tif 000006
【図５】
2005228566.tif 000007
【図６】
2005228566.tif 000008
【図７】
2005228566.tif 000009
【図８】
2005228566.tif 000010
【図９】
2005228566.tif 000011
【図１０】
2005228566.tif 000012
【図１１】
2005228566.tif 000013
【図１２】
2005228566.tif 000014
【図１３】
2005228566.tif 000015
【図１４】
2005228566.tif 000016